(57)【要約】【課題】  玄武岩繊維からなる柔軟なネットを備えた植生体の製造方法を提供する。【解決手段】植生体１０は、ポリ塩化ビニル（ＰＶＣ）にステアリン酸又はアスファルト乳剤を添加した溶融した被覆剤を容器に収容し、玄武岩繊維の束３０を使って形成された玄武岩ネット１３を用意し、容器に収容された被覆剤３１に玄武岩ネット１３を漬けて玄武岩繊維の束３０の外周に被覆剤を付着させ、被覆剤が付着した玄武岩ネットに植生シート１１を重ねて製造される。【選択図】図２
2019167794.tif 000002
【特許請求の範囲】
【請求項１】
ポリ塩化ビニル（ＰＶＣ）にステアリン酸又はアスファルト乳剤を添加した溶融した被覆剤を用意するステップと、
玄武岩繊維の束を使って形成された玄武岩ネットを用意するステップと、
前記玄武岩ネットを前記溶融した被覆剤に通して前記玄武岩繊維の束の外周に前記被覆剤を付着させるステップと、
前記被覆剤が付着した前記玄武岩ネットに植生シートを重ねるステップを含む、植生体の製造方法。
【請求項２】
前記容器に収容されている前記溶融した被覆剤の中に前記玄武岩ネットを通すことによって、実質的に前記玄武岩繊維の束の外周にのみ前記被覆剤を付着させることを特徴とする、請求項１に記載の植生体製造方法。
【請求項３】
前記玄武岩ネットに付着させた前記被覆剤を乾燥し固化させるステップと、
前記固化した前記被覆剤を加熱溶融することにより、前記玄武岩ネットに前記植生シートを接着するステップを有することを特徴とする、請求項１又は２のいずれかに記載の植生体製造方法。
【請求項４】
請求項１〜３のいずれかの方法によって製造された植生体。
【発明の詳細な説明】
【技術分野】
【０００１】
本発明は、法面を保護する植生体の製造方法及びその方法によって製造された植生体に関する。
【背景技術】
【０００２】
従来、玄武岩繊維の束を使って形成された玄武岩ネットが知られている。この玄武岩ネットは、それを構成している繊維の原料が天然材料であることから、自然に対して悪い影響を与えることが無いという利点を有する一方で、繊維が肌に刺さるといった欠点がある。
【０００３】
このような玄武岩ネットの有する欠点を解消する方法として、玄武岩ネットを液状樹脂に浸漬することによって玄武岩繊維の表面を被覆する技術が特許文献１に開示されている。
【先行技術文献】
【特許文献】
【０００４】
【特許文献１】特開２０１０−５６３３５号公報
【発明の概要】
【発明が解決しようとする課題】
【０００５】
しかし、玄武岩ネットに液状樹脂に浸漬すると、図４に示すように、繊維束１００を構成している玄武岩繊維１０１の間に樹脂１０２が入り込み、そのために、繊維間１０１の相対的な軸方向移動が制限される結果、玄武岩ネットが本来持っている柔らかさやしなやかさが失われて変形し難くなる。そのため、液状樹脂に浸漬された玄武岩ネットは、地表面の凹凸に応じた変形が要求される植生用ネットには利用できない、という課題があった。また、図５に示すように、液状樹脂に浸漬した玄武岩ネットを無理に変形して目串等によって法面に固定しても、その後玄武岩ネットの弾性復帰力によって目串が地面から浮き上がり、結果的に植生体を法面に保持できないという課題があった。
【０００６】
そこで、本発明者は、玄武岩繊維の持つ柔らかさとしなやかさを失うことなく玄武岩繊維の折れを防止する技術を開発すべく鋭意研究を重ねた結果、玄武岩繊維の束を高粘性の液体樹脂に浸けることで、可能な限り玄武岩繊維の束の外周にのみ樹脂を塗布することによって、玄武岩繊維の折れを防止しつつ玄武岩繊維の持つ柔らかさとしなやかさを維持する方法を知見した。
【０００７】
本発明はそのような知見に基づいてなされたもので、具体的には、実施の形態に係る植生体の製造方法は、
ポリ塩化ビニル（ＰＶＣ）にステアリン酸又はアスファルト乳剤を添加した溶融した被覆剤を用意するステップと、
玄武岩繊維の束を使って形成された玄武岩ネットを用意するステップと、
前記玄武岩ネットを前記溶融した被覆剤に通して前記玄武岩繊維の束の外周に前記被覆剤を付着させるステップと、
前記被覆剤が付着した前記玄武岩ネットに植生シートを重ねるステップを含むものである。
【発明の効果】
【０００８】
このような方法によって製造された植生体において、該植生体のネットを構成する玄武岩繊維の束はその周囲が被覆剤によって覆われるものの、玄武岩繊維の束を構成する繊維間には実質的に被覆剤が入っておらず、そのために繊維同士の軸方向移動が比較的容易に行える結果、玄武岩繊維からなるネットが本来持っている柔軟性やしなやかさが維持される。その結果、被覆剤で覆われたネットを含む植生体は、法面等の植生地盤に敷設された場合、植生地盤の凹凸に応じて変形し、植生地盤の浸食を効果的に防止する。
【図面の簡単な説明】
【０００９】
【図１】玄武岩繊維ネットを使った植生体の分解斜視図である。
【図２】植生体を法面に敷設した状態を示す断面図である。
【図３】玄武岩繊維束の周囲に被覆剤が塗布されている状態を模式的に表した断面図である。
【図４】玄武岩繊維の間に被覆剤が浸透した状態を模式的に表した断面図である。
【図５】液状樹脂に浸漬した玄武岩ネットを法面に敷設した状態を示す断面図である。
【発明を実施するための形態】
【００１０】
［１．植生体の構造及び製造］
図１は、本発明に係る植生体の製造方法によって製造された植生体の分解斜視図である。図示するように、植生体１０は、下から上に向かって順番に配置された３つの材料、すなわち、下層のシート１１と、中間層の植生基材袋１２と、上層のネット１３で構成されている。
【００１１】
下層のシート１１には紙又は不織布が使用される。下層のシート１１には、植物種子１４を保持させることができる。植物種子１４は、植生体１０が施工される条件（土壌、地域、施工目的等）から適当なものが選択され、糊剤又は熱接着によってシートに付着させることが好ましい。当然、糊剤には、植物種子の成長等に害を与えることがないものが選択される。植物種子に加えて、又は植物種子に代えて、土壌改良材又は肥料若しくはそれらの両方をシートに保持させることもできる。
【００１２】
中間層の基材袋１２は、紙又は不織布からなる細長い中空筒体１５の内部に、土壌改良材、植物種子、肥料の少なくともいずれか１つを含む植生基材１６を収容している。筒体１５の内部に収容する植生基材１６の量やそれを構成する材料（土壌改良材、植物種子、肥料）の割合は、植生体１０が施工される条件（土壌、地域、施工目的等）に応じて適宜決定される。基材袋１２の間隔も、植生体１０が施工される条件（土壌、地域、施工目的等）に応じて適宜決定される。
【００１３】
上層のネット１３は、玄武岩繊維を用いて製造されたネットの表面を熱可塑性樹脂で被覆しており、後に説明する方法によって製造されたものである。ネット１３の目合いは、植物の生育を阻害しない程度（例えば、１０〜１００ｍｍ）に決められている。
【００１４】
植生体１０の製造時、基材袋１２は、別のネット内に封入しシート１１と熱接着するか、シート１１に直接糊剤で接着する。ネット１３は先に接着した基材袋１２とシート１１に、糊剤もしくは適当な紐を使って固定される、またはシート１１の上から熱を加えることによってこれに接触するネット１３の熱可塑性樹脂被覆剤を加熱溶融してシート１１とネット１３が接着される、若しくは専用ミシンでシート１１とネット１３を縫うことによって両者が一体化される。
【００１５】
製造された植生体１０は、図２に示すように、切土法面又は盛土法面等の植生地盤２０に敷設される。このとき、下層のシートが植生地盤２０に接するように配置される。そして、適当な固定具、例えば目串２１によって、植生体１０は植生地盤２０に固定される。
【００１６】
［２．ネットの製造方法］
ネット１３の基材には、玄武岩繊維（バサルト繊維）の束を格子状に編成したネット材が使用される。バサルト繊維の製造方法は公知で、例えば、原料となる玄武岩鉱石を粉砕し溶融した後、この溶融物を押出紡糸又は遠心紡糸して製造される。
【００１７】
図３に示すように、ネット１３を構成している繊維束３０の周囲に被覆剤３１が塗布されている。被覆剤の塗布方法は以下のとおりである。
【００１８】
被覆剤として、加熱して溶融したポリ塩化ビニル（PVC)を用意する。ポリ塩化ビニルには、ステアリン酸又はアスファルト乳剤若しくはそれらの両方を添加して流動性を調整することが好ましい。このようにして調整された被覆剤は容器に収容される。容器にはローラが配置されており、ローラは溶融した被覆剤に浸かっている。この状態で、ローラの外周面に沿ってネットが搬送され、これによりネットの表面、すなわち、玄武岩繊維束の外周に被覆剤が塗布される。図３に示すように、玄武岩繊維束３０の外周には被覆剤３１が塗布されて保持されている。しかし、被覆剤３１は、実質的に繊維３２と繊維３２との間に浸透していない。このようにして被覆剤が塗布されたネットは乾燥工程に搬送され、そこで冷却乾燥されて、表面の被覆剤が硬化されて固定される。
【００１９】
上述のように、被覆剤３１は玄武岩繊維束３０の外周に塗布され、玄武岩繊維束３０を構成している繊維３２と繊維３２の間に被覆剤３１は実質的に浸透していない。そのため、被覆剤３１が硬化した後もネットはその柔軟性としなやかさを維持する。
【００２０】
したがって、図２に示すように、上述のようにして製造されたネットを含む植生体１０は、法面の凹凸や基材袋の表面になじんで容易に変形する。したがって、ネット１３は、植生地盤２０に密着して雨水による植生地盤２０の浸食を確実に防止する。また、ネットを構成する玄武岩繊維は被覆剤によって被覆されているので、皮膚に刺さる心配はほとんどない。さらに、玄武岩繊維は天然材料であるため、環境に悪い影響を及ぼすこともない。
【００２１】
上述の実施の形態に係る植生体では、ネット１３とシート１１との間に植生基材袋１２を配置しているが、ネット１３とシート１１との間には、植生基材袋１２に代えて又は植生基材袋１２とともに、わらやヤシネットなどの植生材料を配置してもよい。
【符号の説明】
【００２２】
１０：植生体、１１：シート、１２：植生基材袋、１３：ネット、３１：被覆剤、３２：繊維。
【図１】
2019167794.tif 000003
【図２】
2019167794.tif 000004
【図３】
2019167794.tif 000005
【図４】
2019167794.tif 000006
【図５】
2019167794.tif 000007
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
ポリ塩化ビニル（ＰＶＣ）にステアリン酸又はアスファルト乳剤を添加した溶融した被覆剤を用意するステップと、
玄武岩繊維の束を使って形成された玄武岩ネットを用意するステップと、
前記玄武岩ネットを前記溶融した被覆剤に通して前記玄武岩繊維の束の外周に前記被覆剤を付着させるステップと、
前記被覆剤が付着した前記玄武岩ネットに植生シートを重ねるステップを含む、植生体の製造方法。
【請求項２】
前記溶融した被覆剤の中に前記玄武岩ネットを通すことによって、実質的に前記玄武岩繊維の束の外周にのみ前記被覆剤を付着させることを特徴とする、請求項１に記載の植生体製造方法。
【請求項３】
前記玄武岩ネットに付着させた前記被覆剤を乾燥し固化させるステップと、
前記固化した前記被覆剤を加熱溶融することにより、前記玄武岩ネットに前記植生シートを接着するステップを有することを特徴とする、請求項１又は２のいずれかに記載の植生体製造方法。
【請求項４】
玄武岩繊維の束を使って形成された玄武岩ネットと、
前記玄武岩繊維の束の外周に付着された被覆剤と、
前記被覆剤が付着された前記玄武岩ネットの上に固定された植生シートを備えたことを特徴とする植生体。
【請求項５】
前記植生シートは前記被覆剤を加熱溶融することにより前記玄武岩ネットに接着されていることを特徴とする請求項４に記載の植生体。
【請求項６】
前記被覆剤はポリ塩化ビニル（ＰＶＣ）を含むことを特徴とする請求項４又は５に記載の植生体。
【請求項７】
前記被覆剤は、ポリ塩化ビニル（ＰＶＣ）にステアリン酸又はアスファルト乳剤が添加されたものであることを特徴とする請求項６に記載の植生体。